(57)【要約】【課題】人物位置を検索し、人物と容易に連絡を取ることができる人物位置検索連絡システム、及び画像形成装置を提供する。【解決手段】フロアＡの要求端末１００ａからフロアＡの画像形成装置２００ａ及びフロアＢの画像形成装置２００ｂを用いて指定された人物の応答端末３００ａ又は応答端末３００ｂの位置を検索する。検索した結果、指定された人物の応答端末がフロアＢにある場合に、要求端末１００ａは、フロアＢの画像形成装置３００ｂに応答端末３００ｂの人物に宛てた連絡メモデータを送信して用紙に印刷する。画像形成装置３００ｂは、人物宛連絡メモの用紙を応答端末３００ｂの人物に渡すように依頼するメールを管理者端末５００ｂに送信する。メールを受信した管理者は、人物宛連絡メモが印刷された用紙を応答端末３００ｂの人物に配付することで、人物が人物宛連絡メモを確認できる。【選択図】図１
2016224518.tif 000002
【特許請求の範囲】
【請求項１】
要求端末と、前記要求端末と接続された画像形成装置と、前記画像形成装置と接続可能な複数の応答端末とを有する人物位置検索連絡システムであって、
前記要求端末は、
人物特定情報と前記人物特定情報により特定される人物が所持する応答端末の応答端末ＩＤとを対応付けて記憶する人物情報記憶部と、
人物宛連絡メモデータが印刷された用紙が配付される前記人物の位置を検索する要求と前記人物宛連絡メモデータとを受け付ける人物位置検索要求受付部と、
前記人物の位置を検索する要求を受け付けると、前記人物特定情報に対応する前記応答端末ＩＤを格納した人物位置検索要求通知を前記画像形成装置に送信する人物位置検索要求通知送信部と、
前記人物位置検索要求受付部が受け付けた前記人物宛連絡メモデータを前記画像形成装置に送信する人物宛連絡メモデータ送信部と
を備え、
前記画像形成装置は、
前記要求端末から前記人物位置検索要求通知を受信する人物位置検索要求通知１次受信部と、
前記人物位置検索要求通知を受信すると、前記応答端末に対して人物位置確認無線信号を送信する人物位置確認無線信号送信部と、
前記人物位置確認無線信号を受信した前記応答端末から前記応答端末に付加されている前記応答端末ＩＤが設定された人物位置応答無線信号を受信し、前記人物位置検索要求通知の前記応答端末ＩＤと人物位置応答無線信号の前記応答端末ＩＤが同じである場合に、人物位置応答無線信号の強さにより人物位置を検出する人物位置応答無線信号受信部と、
検出された前記人物位置と前記画像形成装置のアドレスとを設定した人物位置検索結果情報を前記要求端末に送信する人物位置検索結果情報送信部と、
前記人物宛連絡メモデータを受信する人物宛連絡メモ受信部と、
前記人物宛連絡メモデータを前記用紙に印刷し、前記画像形成装置の管理者に前記用紙を前記人物位置の人物に配付依頼するメールを送信する人物宛連絡メモ出力部と
を備えることを特徴とする人物位置検索連絡システム。
【請求項２】
前記画像形成装置は、
他の前記画像形成装置に前記人物位置検索要求通知を送信する人物位置検索要求通知配信部を備え、
他の前記画像形成装置は、
前記画像形成装置から前記人物位置検索要求通知を受信する人物位置検索要求通知２次受信部と、
前記人物位置確認無線信号送信部と、
前記人物位置応答無線信号受信部と
を備え、
検出した前記人物位置と他の前記画像形成装置のアドレスとを格納した人物位置検索応答通知を前記画像形成装置に送信する人物位置検索応答通知送信部と
を備えることを特徴とする請求項１に記載の人物位置検索連絡システム。
【請求項３】
前記画像形成装置は、
他の前記画像形成装置から人物位置検索応答通知を受信する人物位置検索応答通知受信部を備え、
前記人物位置検索結果情報送信部は、他の前記画像形成装置が検出した前記人物位置と他の前記画像形成装置のアドレスとを設定した人物位置検索結果情報を前記要求端末に送信することを特徴とする請求項２に記載の人物位置検索連絡システム。
【請求項４】
前記画像形成装置及び他の前記画像形成装置が前記人物位置を検索できない場合には、前記画像形成装置は人物位置を検索できなかったことを通知するメッセージを前記要求端末に送信することを特徴とする請求項３に記載の人物位置検索連絡システム。
【請求項５】
前記応答端末は、
前記人物位置確認無線信号を前記画像形成装置から受信する人物位置確認無線信号受信部と、
前記人物位置応答無線信号を前記画像形成装置に送信する人物位置応答無線信号送信部と、
前記人物位置応答無線信号の送信有無が設定される応答設定部を備え、
前記応答端末は、前記応答設定部に送信有りが設定されている場合に、前記人物位置確認無線信号受信部が前記人物位置確認無線信号を受信すると前記人物位置応答無線信号送信部が前記人物位置応答無線信号を前記画像形成装置に送信し、
前記応答端末は、前記応答設定部に送信無しが設定されている場合に、前記人物位置確認無線信号受信部が前記人物位置確認無線信号を受信しても前記人物位置応答無線信号送信部は前記人物位置応答無線信号を前記画像形成装置に送信しない
ことを特徴とする請求項１から請求項４のいずれか１項に記載の人物位置検索連絡システム。
【請求項６】
前記画像形成装置と複数の前記応答端末は、近距離無線通信により接続されることを特徴とする請求項１から請求項５のいずれか１項に記載の人物位置検索連絡システム。
【請求項７】
人物宛連絡メモデータが印刷された用紙が配付される人物が所持する応答端末の応答端末ＩＤを格納した人物位置検索要求通知を要求端末から受信する人物位置検索要求通知１次受信部と、
前記人物位置検索要求通知を受信すると、前記応答端末に対して人物位置確認無線信号を送信する人物位置確認無線信号送信部と、
前記人物位置確認無線信号を受信した前記応答端末から前記応答端末に付加されている前記応答端末ＩＤが設定された人物位置応答無線信号を受信し、前記人物位置検索要求通知の前記応答端末ＩＤと人物位置応答無線信号の前記応答端末ＩＤが同じである場合に、人物位置応答無線信号の強さにより人物位置を検出する人物位置応答無線信号受信部と、
検出された前記人物位置と前記画像形成装置のアドレスとを設定した人物位置検索結果情報を前記要求端末に送信する人物位置検索結果情報送信部と、
前記人物宛連絡メモデータを受信する人物宛連絡メモ受信部と、
前記人物宛連絡メモデータを前記用紙に印刷し、前記画像形成装置の管理者に前記用紙を前記人物位置の人物に配付依頼するメールを送信する人物宛連絡メモ出力部と
を備えることを特徴とする画像形成装置。
【発明の詳細な説明】
【技術分野】
【０００１】
本発明は、オフィスなどの限られたエリアにおいて、社員などの人物が現在いる位置を検索し、人物と連絡を取る人物位置検索連絡システム、及び画像形成装置に関する。
【背景技術】
【０００２】
最近のオフィスにおいては、社員の在室状況を管理するシステムが構築されている場合がある。このようなシステムでは、社員が室内から外に出るすなわち外室するときに端末装置から外室の操作を行うと、端末装置から外室情報が在室状況を管理するサーバーに送信され、また、社員が入室して端末装置から入室の操作を行うと、端末装置から入室情報が在室状況を管理するサーバーに送信される。このような在室状況を管理するサーバーが社員毎の外室情報及び在室情報を端末装置から受信して記憶し、またオフィスの誰もがこの外室情報及び在室情報を自分の端末装置から確認できるようにしている。しかし、社員が外室操作又は入室操作を忘れると、正しい外室情報及び在室情報が記憶されない。このため、社員である人物が外室操作又は入室操作を忘れた場合でも、正しい在室情報が収集できるようにする必要がある。例えば、特許文献１に記載されている在否判定システムは、在否判定システムの中央装置が講義に出席している学生の端末装置からの接続要求に対して接続を確立し、また端末装置から受信した在席情報が正当なもので、しかも確立した接続が切断されていない場合に、端末装置の学生が在席していると判定している。このように、在否判定システムは、中央装置が学生の端末装置と接続が確立されているか否かで、学生が教室にいるか否かを判定できるようにしている。
【先行技術文献】
【特許文献】
【０００３】
【特許文献１】特開２００５−1２８８８５号公報
【発明の概要】
【発明が解決しようとする課題】
【０００４】
しかし、特許文献１の在否判定システムは、在席しているか否かを判定することができるが、オフィスなどの限られたエリア内にいるがどこにいるかわからない社員など（以下、「人物」という）と緊急に連絡を取りたい場合に、人物が携帯電話の電波が遮断されているエリアにいるなどの理由により連絡が取れないという問題があった。
【０００５】
本発明はこのような状況に鑑みてなされたものであり、上記課題を解決できる人物位置検索連絡システム、及び画像形成装置を提供することを目的とする。
【課題を解決するための手段】
【０００６】
本発明の人物位置検索連絡システムは、要求端末と、前記要求端末と接続された画像形成装置と、前記画像形成装置と接続可能な複数の応答端末とを有する人物位置検索連絡システムであって、前記要求端末は、人物特定情報と前記人物特定情報により特定される人物が所持する応答端末の応答端末ＩＤとを対応付けて記憶する人物情報記憶部と、人物宛連絡メモデータが印刷された用紙が配付される前記人物の位置を検索する要求と前記人物宛連絡メモデータとを受け付ける人物位置検索要求受付部と、前記人物の位置を検索する要求を受け付けると、前記人物特定情報に対応する前記応答端末ＩＤを格納した人物位置検索要求通知を前記画像形成装置に送信する人物位置検索要求通知送信部と、前記人物位置検索要求受付部が受け付けた前記人物宛連絡メモデータを前記画像形成装置に送信する人物宛連絡メモデータ送信部とを備え、前記画像形成装置は、前記要求端末から前記人物位置検索要求通知を受信する人物位置検索要求通知１次受信部と、前記人物位置検索要求通知を受信すると、前記応答端末に対して人物位置確認無線信号を送信する人物位置確認無線信号送信部と、前記人物位置確認無線信号を受信した前記応答端末から前記応答端末に付加されている前記応答端末ＩＤが設定された人物位置応答無線信号を受信し、前記人物位置検索要求通知の前記応答端末ＩＤと人物位置応答無線信号の前記応答端末ＩＤが同じである場合に、人物位置応答無線信号の強さにより人物位置を検出する人物位置応答無線信号受信部と、検出された前記人物位置と前記画像形成装置のアドレスとを設定した人物位置検索結果情報を前記要求端末に送信する人物位置検索結果情報送信部と、前記人物宛連絡メモデータを受信する人物宛連絡メモ受信部と、前記人物宛連絡メモデータを前記用紙に印刷し、前記画像形成装置の管理者に前記用紙を前記人物位置の人物に配付依頼するメールを送信する人物宛連絡メモ出力部とを備えることを特徴としている。
また、本発明の人物位置検索連絡システムの前記画像形成装置は、他の前記画像形成装置に前記人物位置検索要求通知を送信する人物位置検索要求通知配信部を備え、他の前記画像形成装置は、前記画像形成装置から前記人物位置検索要求通知を受信する人物位置検索要求通知２次受信部と、前記人物位置確認無線信号送信部と、前記人物位置応答無線信号受信部とを備え、検出した前記人物位置と他の前記画像形成装置のアドレスとを格納した人物位置検索応答通知を前記画像形成装置に送信する人物位置検索応答通知送信部とを備えることを特徴としている。
また、本発明の人物位置検索連絡システムの前記画像形成装置は、他の前記画像形成装置から人物位置検索応答通知を受信する人物位置検索応答通知受信部を備え、前記人物位置検索結果情報送信部は、他の前記画像形成装置が検出した前記人物位置と他の前記画像形成装置のアドレスとを設定した人物位置検索結果情報を前記要求端末に送信することを特徴としている。
また、本発明の人物位置検索連絡システムは、前記画像形成装置及び他の前記画像形成装置が前記人物位置を検索できない場合には、前記画像形成装置は人物位置を検索できなかったことを通知するメッセージを前記要求端末に送信することを特徴としている。
また、本発明の人物位置検索連絡システムの前記応答端末は、前記人物位置確認無線信号を前記画像形成装置から受信する人物位置確認無線信号受信部と、前記人物位置応答無線信号を前記画像形成装置に送信する人物位置応答無線信号送信部と、前記人物位置応答無線信号の送信有無が設定される応答設定部を備え、前記応答端末は、前記応答設定部に送信有りが設定されている場合に、前記人物位置確認無線信号受信部が前記人物位置確認無線信号を受信すると前記人物位置応答無線信号送信部が前記人物位置応答無線信号を前記画像形成装置に送信し、前記応答端末は、前記応答設定部に送信無しが設定されている場合に、前記人物位置確認無線信号受信部が前記人物位置確認無線信号を受信しても前記人物位置応答無線信号送信部は前記人物位置応答無線信号を前記画像形成装置に送信しないことを特徴としている。
また、本発明の人物位置検索連絡システムの前記画像形成装置と複数の前記応答端末は、近距離無線通信により接続されることを特徴としている。
本発明の画像形成装置は、人物宛連絡メモデータが印刷された用紙が配付される人物が所持する応答端末の応答端末ＩＤを格納した人物位置検索要求通知を要求端末から受信する人物位置検索要求通知１次受信部と、前記人物位置検索要求通知を受信すると、前記応答端末に対して人物位置確認無線信号を送信する人物位置確認無線信号送信部と、前記人物位置確認無線信号を受信した前記応答端末から前記応答端末に付加されている前記応答端末ＩＤが設定された人物位置応答無線信号を受信し、前記人物位置検索要求通知の前記応答端末ＩＤと人物位置応答無線信号の前記応答端末ＩＤが同じである場合に、人物位置応答無線信号の強さにより人物位置を検出する人物位置応答無線信号受信部と、検出された前記人物位置と前記画像形成装置のアドレスとを設定した人物位置検索結果情報を前記要求端末に送信する人物位置検索結果情報送信部と、前記人物宛連絡メモデータを受信する人物宛連絡メモ受信部と、前記人物宛連絡メモデータを前記用紙に印刷し、前記画像形成装置の管理者に前記用紙を前記人物位置の人物に配付依頼するメールを送信する人物宛連絡メモ出力部とを備えることを特徴としている。
【発明の効果】
【０００７】
本発明の人物位置検索連絡システム、及び画像形成装置は、人物が現在いる位置（以下、「人物位置」という）を検索し、人物と容易に連絡を取ることができる。
【図面の簡単な説明】
【０００８】
【図１】本発明の実施形態に係る人物位置検索連絡システムのシステム構成を示す図である。
【図２】図１に示す人物位置検索連絡システムの要求端末、画像形成装置及び応答端末の機能構成を示す図である。
【図３】本発明の実施形態に係る人物位置を検索して人物と連絡を取る手順を示す図である。
【図４】本発明の実施形態に係る図３に示す人物位置を検索する手順の詳細な処理の流れを示すフローチャートである。
【図５】本発明の実施形態に係る図３に示す人物と連絡を取る手順の詳細な処理の流れを示すフローチャートである。
【発明を実施するための形態】
【０００９】
以下、本発明を実施するための形態（以下、「実施形態」という）を、図面を参照して説明する。本実施形態の人物位置検索連絡システムは、オフィスなどのフロアに設置されている端末（以下、「要求端末」という）から同じフロアの画像形成装置及び他のフロアの画像形成装置を用いて他のモバイル端末（以下、「応答端末」という）の位置を検索するものである。検索した結果、応答端末が他のフロアに移動している場合に、要求端末は、他のフロアの画像形成装置に、応答端末の人物に宛てた宛先人物名と連絡内容とが記載されたメモ（以下、「人物宛連絡メモ」という）のテキストデータ（以下、「人物宛連絡メモデータ」という）を送信すると、他のフロアの画像形成装置が人物宛連絡メモデータを印刷する。また、他のフロアの画像形成装置が自身の管理者の管理者端末に、人物宛連絡メモを応答端末の人物に渡すように依頼するメールを送信して、応答端末の人物に要件を伝えるようにするものである。
【００１０】
まず、本実施形態の人物位置検索連絡システム１０のシステム構成について、図１を用いて説明する。図１に示すように、人物位置検索連絡システム１０は、フロアＡに要求端末１００ａ、画像形成装置２００ａ、複数の応答端末３００ａ、アクセスポイント４００ａ及び管理者端末５００ａを備えている。同様に、フロアＢに要求端末１００ｂ、画像形成装置２００ｂ、複数の応答端末３００ｂ、アクセスポイント４００ｂ及び管理者端末５００ｂを備えている。また、人物位置検索連絡システム１０は、ネットワーク６００、ルーター７００、インターネット８００及びアクセスポイント９００を備えている。
【００１１】
要求端末１００ａ、１００ｂは、ＰＣ（パソコン）などの操作端末であり、ネットワーク６００により画像形成装置２００ａ、２００ｂとデータの送受信を行うことができる。
【００１２】
画像形成装置２００ａ、２００ｂは、プリンター、多機能プリンター、多機能周辺装置、又は複合機などのＭＦＰ（Ｍｕｌｔｉｆｕｎｃｔｉｏｎａｌ  Ｐｅｒｉｐｈｅｒａｌ）であり、ネットワーク６００により要求端末１００ａ、１００ｂと管理端末５００ａ、５００ｂ、近距離無線通信又はネットワーク６００のアクセスポイント４００ａ、４００ｂにより応答装置３００ａ、３００ｂとデータの送受信を行うことができる。
【００１３】
応答端末３００ａ、３００ｂは、携帯電話、スマートフォン又はタブレット端末などの携帯端末であり、近距離無線通信又はネットワーク６００のアクセスポイント４００ａ、４００ｂにより画像形成装置２００とデータの送受信を行うことができる。応答端末３００ａ、３００ｂには、応答端末３００ａ、３００ｂを識別するＩＤ（以下、「応答端末ＩＤ」という）が付加されている。
【００１４】
アクセスポイント４００ａ、４００ｂは、フロアＡ、フロアＢに設置されるＷｉＦｉ（ワイファイ）などの無線パーソナルエリアネットワーク（Wireless Personal Area Network：ＷＰＡＮ）のアクセスポイントである。アクセスポイント４００ａ、４００ｂは、ネットワーク６００に接続され、無線通信によりアクセスポイント４００ａ、４００ｂに対して接続要求を行っている応答端末３００ａ、３００ｂをネットワーク６００に接続する。なお、アクセスポイント４００ａ、４００ｂに設置されるアンテナは、可動式で指向性の高いものを使用することで、信号の方向を検出できる。
【００１５】
管理者端末５００ａ、５００ｂは、ＰＣ（パソコン）などの操作端末であり、ネットワーク６００により画像形成装置２００ａ、２００ｂとデータの送受信を行うことができる。
【００１６】
ネットワーク６００は、ＬＡＮ（Local Area Network）などのネットワーク(イントラネット等)であり、要求端末１００ａ、１００ｂ、画像形成装置２００ａ、２００ｂ、アクセスポイント４００ａ、４００ｂ及び管理者端末５００ａ、５００ｂが接続されている。
【００１７】
ルーター７００は、ネットワーク６００に接続され、ネットワーク６００をインターネット８００に接続する。
【００１８】
インターネット８００は、インターネットやイントラネット等のＩＰネットワークであり、インターネット８００に接続されているＰＣなどの操作端末８１０、又はインターネット８００のアクセスポイント９００に対して接続要求を行っている携帯電話、スマートフォン又はタブレット端末などの携帯端末９１０をルーター７００経由でネットワーク６００に接続する。
【００１９】
次に、図１に示す人物位置検索連絡システム１０の要求端末１００ａ、１００ｂ、画像形成装置２００ａ、２００ｂ及び応答端末３００ａ、３００ｂの機能構成について、図２を用いて説明する。なお、要求端末１００ａ、１００ｂは、同じ機能を備えているので、要求端末１００ａ、１００ｂを要求端末１００として説明する。画像形成装置２００ａ、２００ｂは、同じ機能を備えているので、画像形成装置２００ａ、２００ｂを画像形成装置２００として説明する。応答端末３００ａ、３００ｂは、同じ機能を備えているので、応答端末３００ａ、３００ｂを応答端末３００として説明する。アクセスポイント４００ａ、４００ｂは、同じ機能を備えているので、アクセスポイント４００ａ、４００ｂをアクセスポイント４００として説明する。
【００２０】
まず、要求端末１００の機能構成について、図２を用いて説明する。図２に示すように要求端末１００は、制御部１０１、メモリー部１０２、操作パネル１０３、操作パネル処理部１０４及びネットワーク通信部１０５を備え、これら各部はバスなどにより接続される構成となっている。制御部１０１には、人物位置検索要求受付処理部１０１ａ、人物位置検索要求通知送信処理部１０１ｂ、人物位置検索結果情報受信処理部１０１ｃ、人物位置検索結果情報表示処理部１０１ｄ及び人物宛連絡メモ送信処理部１０１ｅが設けられている。メモリー部１０２には、人物情報記憶エリア１０２ａ、人物検索結果情報記憶エリア１０２ｂ及び人物宛連絡メモデータ記憶エリア１０２ｃが設けられている。
【００２１】
制御部１０１は、ＲＡＭやＲＯＭ等の主記憶手段、及びＣＰＵ(Central Processing Unit)等の制御手段を備えている。また、制御部１０１は、各種Ｉ／Ｏや、ＵＳＢ（ユニバーサル・シリアル・バス）等のインターフェイス、バスコントローラー等を含む総合的な要求端末１００の制御を行う。
人物位置検索要求受付処理部１０１ａは、操作パネル１０３から入力される人物名の人物位置を検索する要求を受け付ける。
人物位置検索要求通知送信処理部１０１ｂは、人物位置の検索を要求する通知（以下、「人物位置検索要求通知」という）を画像形成装置２００に送信する。
人物位置検索結果情報受信処理部１０１ｃは、人物位置を検索した結果の情報（以下、「人物位置検索結果情報」という）を画像形成装置２００から受信する。
人物位置検索結果情報表示処理部１０１ｄは、人物位置検索結果情報を操作パネル１０３に表示する。
人物宛連絡メモ送信処理部１０１ｅは、操作パネル１０３から入力される人物宛連絡メモデータを人物位置と同じエリアに設置されている画像形成装置２００ａ又は画像形成装置２００ｂに送信する。
【００２２】
メモリー部１０２は、フラッシュメモリー等からなる補助記憶装置で、制御部１０１が実行する処理のプログラムやデータを記憶する。
人物情報記憶エリア１０２ａは、人物名、人物が所持している応答端末３００の応答端末ＩＤ及び人物のメールアドレスなどの人物に関する情報を記憶する。
人物検索結果情報記憶エリア１０２ｂは、画像形成装置２００から受信する人物検索結果情報を一時的に記憶する。
人物宛連絡メモデータ記憶エリア１０２ｃは、操作パネル１０３から入力される人物宛連絡メモデータを一時的に記憶する。
【００２３】
操作パネル１０３は、操作項目や各種情報の表示、ユーザーによる操作受け付けを行う液晶パネルである。
【００２４】
操作パネル処理部１０４は、要求端末１００が備えている機能に対する操作項目を操作パネル１０３に表示する処理、要求端末１００の各種情報を表示する処理、又は操作パネル１０３からユーザーの操作を入力する処理を行う。
【００２５】
ネットワーク通信部１０５は、着脱可能なＬＡＮインターフェイスを備え、要求端末１００をネットワーク６００に接続し、ネットワーク６００に接続されている装置やアクセスポイント４００によりネットワーク６００に接続されている携帯端末とデータの送受信を行う。
【００２６】
次に、画像形成装置２００の機能構成について、図２を用いて説明する。図２に示す画像形成装置２００は、制御部２０１、メモリー部２０２、データ記憶部２０３、ネットワーク通信部２０４、近距離無線通信部２０５、操作パネル２０６、操作パネル処理部２０７、原稿読取部２０８、画像処理部２０９及び印刷部２１０を備え、これら各部はバスなどにより接続される構成となっている。制御部２０１には、人物位置検索要求通知１次受信処理部２０１ａ、人物位置検索通知配信処理部２０１ｂ、人物位置検索応答通知受信処理部２０１ｃ、人物位置検索結果情報生成処理部２０１ｄ、人物位置検索結果情報送信処理部２０１ｅ、人物位置確認無線信号送信処理部２０１ｆ、人物位置応答無線信号受信処理部２０１ｇ、人物宛連絡メモ受信処理部２０１ｈ、人物宛連絡メモ出力処理部２０１ｉ、人物位置検索要求通知２次受信処理部２０１ｊ及び人物位置検索応答通知送信処理部２０１ｋが設けられている。メモリー部２０２には、管理者情報記憶エリア２０２ａが設けられている。データ記憶部２０３には、画像データ記憶エリア２０３ａが設けられている。
【００２７】
制御部２０１は、ＲＡＭやＲＯＭ等の主記憶手段、及びＣＰＵ(Central Processing Unit)等の制御手段を備えている。また、制御部２０１は、各種Ｉ／Ｏや、ＵＳＢ（ユニバーサル・シリアル・バス）等のインターフェイス、バスコントローラー等を含む総合的な画像形成装置２００の制御を行う。
人物位置検索要求通知１次受信処理部２０１ａは、要求端末１００から人物位置検索要求通知を受信する。
人物位置検索通知配信処理部２０１ｂは、受信した人物位置検索要求通知を他の画像形成装置２００に配信する。
人物位置検索応答通知受信処理部２０１ｃは、人物位置を格納した通知（以下、「人物位置検索応答通知」という）を他の画像形成装置２００から受信する。
人物位置検索結果情報生成処理部２０１ｄは、応答端末３００から受信した人物位置応答無線信号又は他の画像形成装置２００から受信した人物位置検索応答通知の情報から生成した人物位置を検索した結果の情報（以下、「人物位置検索結果情報」という）を生成する。
人物位置検索結果情報送信処理部２０１ｅは、要求端末１００に人物位置検索結果情報を送信する。
人物位置確認無線信号送信処理部２０１ｆは、応答端末３００に人物の位置を確認するための無線信号（以下、「人物位置確認無線信号」という）を送信する。
人物位置応答無線信号受信処理部２０１ｇは、応答端末３００から人物位置確認無線信号に対する応答の無線信号（以下、「人物位置応答無線信号」という）を受信する。
人物宛連絡メモ受信処理部２０１ｈは、要求端末１００から人物宛連絡メモデータを受信する。
人物宛連絡メモ出力処理部２０１ｉは、人物宛連絡メモデータを印刷し、印刷した画像形成装置２００の管理者に人物宛連絡メモの用紙を検索した人物位置にいる人物に配付を依頼するメールを送信する。
人物位置検索要求通知２次受信処理部２０１ｊは、他の画像形成装置２００から人物位置検索要求通知を受信する。
人物位置検索応答通知送信処理部２０１ｋは、検索した人物位置を格納した通知（以下、「人物位置検索応答通知」という）を他の画像形成装置２００に送信する。
【００２８】
なお、人物位置検索要求通知１次受信処理部２０１ａ、人物位置検索通知配信処理部２０１ｂ、人物位置検索応答通知受信処理部２０１ｃ、人物位置検索結果情報生成処理部２０１ｄ及び人物位置検索結果情報送信処理部２０１ｅは、要求端末１００から人物位置検索要求通知を受信する画像形成装置２００により実行される。また、人物位置検索要求通知２次受信処理部２０１ｊ及び人物位置検索応答通知送信処理部２０１ｋは、他の画像形成装置２００から人物位置検索要求通知を受信する画像形成装置２００により実行される。また、人物位置確認無線信号送信処理部２０１ｆ、人物位置応答無線信号受信処理部２０１ｇ、人物宛連絡メモ受信処理部２０１ｈ及び人物宛連絡メモ出力処理部２０１ｉは、両方の画像形成装置２００により実行される。
【００２９】
メモリー部２０２は、フラッシュメモリー等からなる補助記憶装置で、制御部２０１が実行する処理のプログラムやデータを記憶する。
管理者情報記憶エリア２０２ａは、画像形成装置２００の管理者の管理者名及び管理者のメールアドレスなどの管理者に関係する情報を記憶する。
【００３０】
データ記憶部２０３は、データやプログラムを記憶するハードディスクドライブである。
画像データ記憶エリア２０３ａは、原稿読取部２０８から読み取られ画像処理部２０９により変換された画像データや、ネットワーク通信部２０４を経由して他の画像形成装置２００から受信した画像データを記憶する。
【００３１】
ネットワーク通信部２０４は、着脱可能なＬＡＮインターフェイスを備え、画像形成装置２００をネットワーク６００に接続し、ネットワーク６００に接続されている装置やアクセスポイント４００によりネットワーク６００に接続される携帯端末とデータの送受信を行う。
【００３２】
近距離無線通信部２０５は、近距離無線通信規格であるBluetooth（登録商標）や赤外線通信により応答端末３００と近距離での直接通信を行う。
【００３３】
操作パネル２０６は、操作項目や各種情報の表示、ユーザーによる操作受け付けを行う液晶パネルである。
【００３４】
操作パネル処理部２０７は、画像形成装置２００が備えている機能に対する操作項目を操作パネル２０６に表示する処理、画像形成装置２００の各種情報や画像データを表示する処理、又は操作パネル２０６からユーザーの操作を入力する処理を行う。
【００３５】
原稿読取部２０８は、ユーザーによる操作パネル２０６からの読み取り操作により、画像形成装置２００の原稿台にセットされた原稿の読み取りを行い、読み取った原稿データを画像処理部２０９に出力する。
【００３６】
画像処理部２０９は、原稿読取部２０８が読み取った原稿データを入力すると、画像形成装置２００で処理可能な画像データに変換する。
【００３７】
印刷部２１０は、印刷データ又はユーザーから印刷要求された画像データの印刷を行う。
【００３８】
次に、応答端末３００の機能構成について、図２を用いて説明する。図２に示すように応答端末３００は、制御部３０１、メモリー部３０２、  近距離無線通信部３０３、ネットワーク通信部３０４、操作パネル３０５及び操作パネル処理部３０６を備え、これら各部はバスなどにより接続される構成となっている。制御部３０１には、人物位置確認無線信号受信処理部３０１ａ、及び人物位置応答無線信号送信処理部３０１ｂが設けられている。メモリー部３０２には、応答端末情報記憶エリア３０２ａが設けられている。
【００３９】
制御部３０１は、ＲＡＭやＲＯＭ等の主記憶手段、及びＣＰＵ(Central Processing Unit)等の制御手段を備えている。また、制御部３０１は、各種Ｉ／Ｏや、ＵＳＢ（ユニバーサル・シリアル・バス）等のインターフェイス、バスコントローラー等を含む総合的な応答端末３００の制御を行う。
人物位置確認無線信号受信処理部３０１ａは、画像形成装置２００から人物位置確認無線信号を受信する。
人物位置応答無線信号送信処理部３０１ｂは、画像形成装置２００に人物位置応答無線信号を送信する。
【００４０】
メモリー部３０２は、フラッシュメモリー等からなる補助記憶装置で、制御部３０１が実行する処理のプログラムやデータを記憶する。
応答端末情報記憶エリア３０２ａは、応答端末３００の所有者である人物の人物名及び応答端末ＩＤなどの応答端末３００に関する情報を記憶する。
【００４１】
近距離無線通信部３０３は、近距離無線通信規格であるBluetooth（登録商標）や赤外線通信により画像形成装置３００と近距離での直接通信を行う。
【００４２】
ネットワーク通信部３０４は、着脱可能なＬＡＮインターフェイスを備え、応答端末３００をネットワーク６００に接続し、ネットワーク６００に接続される装置やアクセスポイント４００によりネットワーク６００に接続される携帯端末とデータの送受信を行う。
【００４３】
操作パネル３０５は、操作項目や各種情報の表示、ユーザーによる操作受け付けを行う液晶パネルである。
【００４４】
操作パネル処理部３０６は、応答端末３００が備えている機能に対する操作項目を操作パネル３０５に表示する処理、応答端末３００の各種情報を表示する処理、又は操作パネル３０５からユーザーの操作を入力する処理を行う。
【００４５】
次に、人物位置検索連絡システムにおける人物名の人物位置を検索して人物名の人物と連絡を取る手順を図１、図３、図４及び図５を用いて説明する。なお、図３、図４及び図５に示す人物位置を検索して人物と連絡を取る手順は、図１に示すフロアＡの要求端末１００ａから人物名の人物位置を検索する操作を行い、人物名の人物がフロアＢにいる場合の例で説明する。
【００４６】
まず、人物位置を検索する手順について、図３を用いて説明する。
（１）に示すように、要求端末１００ａの操作パネル１０３から人物名を入力して人物位置検索要求の操作が行われると、（２）に示すように、要求端末１００ａは、人物名に対応する応答端末ＩＤを格納した人物位置検索要求通知を画像形成装置２００ａに送信する。次いで、画像形成装置２００ａが人物位置検索要求通知を受信すると、（３）に示すように、画像形成装置２００ａは、無線通信により人物位置確認無線信号を複数の応答端末３００ａに向けて送信する。次いで、（４）に示すように、応答端末３００ａは、人物位置確認無線信号を受信すると、無線通信により応答端末３００ａの応答端末ＩＤを設定した人物位置応答無線信号を画像形成装置２００ａに送信する。次いで、画像形成装置２００ａは、複数の応答端末３００ａから人物位置応答無線信号を受信すると、人物位置検索要求通知の応答端末ＩＤと同じ応答端末ＩＤが設定されている人物位置応答無線信号を受信していないので、（５）に示すように画像形成装置２００ａは、画像形成装置２００ｂに人物位置検索要求通知を送信する。次いで、画像形成装置２００ｂは、人物位置検索要求通知を受信すると、（６）に示すように、無線通信により人物位置確認無線信号を複数の応答端末３００ｂに向けて送信する。次いで、（７）に示すように、応答端末３００ｂは、人物位置確認無線信号を受信すると、無線通信により応答端末３００ｂの応答端末ＩＤを設定した人物位置応答無線信号を画像形成装置２００ｂに送信する。次いで、画像形成装置２００ｂは、複数の応答端末３００ｂから人物位置応答無線信号を受信すると、人物位置検索要求通知の応答端末ＩＤと同じ応答端末ＩＤが設定されている人物位置応答無線信号の強さから検出した人物位置、画像形成装置２００ｂのアドレス、及び画像形成装置２００ｂが設置されているフロア名を人物位置検索応答通知に格納する。次いで、（８）に示すように、画像形成装置２００ｂは、人物位置検索応答通知を画像形成装置２００ａに送信する。画像形成装置２００ａは、人物位置検索応答通知を受信すると、人物位置検索要求通知から人物位置、画像形成装置２００ｂのアドレス、及び画像形成装置２００ｂが設置されているフロア名を取り出すと、詳細な人物位置及び画像形成装置２００ｂのアドレスを設定した人物位置検索結果情報を生成する。次いで、（９）に示すように、画像形成装置２００ａは、人物位置検索結果情報を要求端末１００ａに送信する。要求端末１００ａは、人物位置検索結果情報を受信すると、（１０）に示すように、人物位置検索結果情報を操作パネル１０３に表示する。
【００４７】
次に、検索された人物位置の人物と連絡を取る手順について、図３を用いて説明する。
（１１）に示すように、要求端末１００ａの操作パネル１０３から人物宛連絡メモが入力され、人物宛連絡メモ配付要求の操作が行われると、（１２）に示すように、要求端末１００ａから人物位置検索結果情報の画像形成装置２００ｂのアドレスに人物宛連絡メモデータが送信される。次いで、画像形成装置２００ｂが人物宛連絡メモデータを受信すると、（１３）に示すように、人物宛連絡メモデータを印刷する。次いで、（１４）に示すように画像形成装置２００ｂは、自身の管理者の管理者端末５００ｂに人物宛連絡メモが印刷された用紙を検索したフロアの人物位置にいる人物に届ける依頼のメールを送信する。次いで、（１５）に示すように、メールを受信した管理者端末５００ｂの管理者は、人物宛連絡メモの用紙を検索したフロアの人物位置にいる人物に配付すると、人物位置の人物が人物宛連絡メモを確認する。
【００４８】
次に、人物位置を検索する手順の詳細な処理の流れについて、図４のフローチャートを用いて更に詳しく説明する。
【００４９】
（ステップＳ１０１）
まず、要求装置１００ａの操作パネル１０３から人物名の人物位置を検索する操作が行われると、操作パネル処理部１０４が人物名を入力し、人物名の人物位置検索要求を人物位置検索要求受付処理部１０１ａに出力する。
【００５０】
（ステップＳ１０２）
次いで、人物位置検索要求受付処理部１０１ａは、人物名の人物位置検索要求を入力すると、人物情報記憶エリア１０２ａから人物名に対応する応答端末ＩＤを取り出し、応答端末ＩＤを格納した人物位置検索要求通知を人物位置検索要求通知送信処理部１０１ｂに出力する。
【００５１】
（ステップＳ１０３）
次いで、人物位置検索要求通知送信処理部１０１ｂは、人物位置検索要求通知を画像形成装置２００ａに送信する。
【００５２】
（ステップＳ１０４）
次いで、画像形成装置２００ａの人物位置検索要求通知１次受信処理部２０１ａは、人物位置検索要求通知を受信すると、人物位置確認無線信号送信処理部２０１ｆに出力する。
【００５３】
（ステップＳ１０５）
次いで、画像形成装置２００ａの人物位置確認無線信号送信処理部２０１ｆは、人物位置検索要求通知を入力すると、ネットワーク通信部２０４と近距離無線通信部２０５とにより、人物位置確認無線信号を応答端末３００ａに向けて送信する。なお、ネットワーク通信部２０４の人物位置確認無線信号は、アクセスポイント４００ａから送出される。
【００５４】
（ステップＳ１０６）
次いで、画像形成装置２００ａの人物位置応答無線信号受信処理部２０１ｇは、ネットワーク通信部２０４又は近距離無線通信部２０５により人物位置応答無線信号を受信する。しかし、人物はフロアＡにいないので、人物位置検索要求通知の応答端末ＩＤと同じ応答端末ＩＤが設定された人物位置応答無線信号を受信しないので、人物位置応答無線信号受信処理部２０１ｇは、人物位置検索要求通知を人物位置検索通知配信処理部２０１ｂに出力する。
【００５５】
（ステップＳ１０７）
次いで、人物位置検索通知配信処理部２０１ｂは、人物位置検索要求通知を入力すると、画像形成装置２００ｂに人物位置検索要求通知を配信する。
【００５６】
（ステップＳ１０８）
次いで、画像形成装置２００ｂの人物位置検索要求通知２次受信処理部２０１ｊは、人物位置検索要求通知を受信すると、人物位置確認無線信号送信処理部２０１ｆに人物位置検索要求通知を出力する。
【００５７】
（ステップＳ１０９）
次いで、画像形成装置２００ｂの人物位置確認無線信号送信処理部２０１ｆは、人物位置検索要求通知を入力すると、ネットワーク通信部２０４及び近距離無線通信部２０５が人物位置確認無線信号を応答端末３００ｂに向けて送信する。なお、ネットワーク通信部２０４の人物位置確認無線信号は、アクセスポイント４００ｂから送出される。
【００５８】
（ステップＳ１１０）
次いで、画像形成装置２００ｂの人物位置応答無線信号受信処理部２０１ｇは、ネットワーク通信部２０４又は近距離無線通信部２０５により人物位置応答無線信号を受信する。なお、人物は、フロアＢにいるので、人物位置検索要求通知の応答端末ＩＤと同じ応答端末ＩＤが設定された人物位置応答無線信号を受信するので、人物位置応答無線信号受信処理部２０１ｇは、人物位置検索要求通知の応答端末ＩＤと同じ応答端末ＩＤが設定された人物位置応答無線信号の強さからフロアの人物位置を検出し、人物位置を人物位置検索応答通知送信処理部２０１ｋに出力する。
【００５９】
（ステップＳ１１１）
次いで、人物位置検索応答通知送信処理部２０１ｋは、人物位置を入力すると、人物位置、画像形成装置２００ｂのアドレス、及び画像形成装置２００ｂが設置されているフロア名を格納した人物位置検索応答通知を画像形成装置２００ａに送信する。
【００６０】
（ステップＳ１１２）
次いで、画像形成装置２００ａの人物位置検索応答通知受信処理部２０１ｃは、人物位置検索応答通知を受信すると、人物位置検索結果情報生成処理部２０１ｄに出力する。
【００６１】
（ステップＳ１１３）
次いで、人物位置検索結果情報生成処理部２０１ｄは、人物位置検索応答通知を入力すると、人物位置検索応答通知から人物位置、画像形成装置２００ｂのアドレス、及び画像形成装置２００ｂが設置されているフロア名を取り出す。人物位置検索結果情報生成処理部２０１ｄは、人物位置、画像形成装置２００ｂのアドレス、及び画像形成装置２００ｂが設置されているフロア名から詳細な人物位置及び画像形成装置２００ｂのアドレスとを設定した人物位置検索結果情報を生成し、生成した人物位置検索結果情報を人物位置検索結果情報送信処理部２０１ｅに出力する。詳細な人物位置とは、例えば、「フロアＢの画像形成装置から南東方向１０ｍ」又は、「フロアＢの画像形成装置から北東方向５ｍの会議室Ｃ」などである。
【００６２】
（ステップＳ１１４）
次いで、人物位置検索結果情報送信処理部２０１ｅは、人物位置検索結果情報を要求端末１００ａに送信する。
【００６３】
（ステップＳ１１５）
次いで、要求端末１００ａの人物位置検索結果情報受信処理部１０１ｃは、人物位置検索結果情報を受信すると、人物位置検索結果情報を人物検索結果情報記憶エリア１０２ｂに記憶し、人物位置検索結果情報表示処理部１０１ｄに人物位置検索結果情報の表示要求を出力する。
【００６４】
（ステップＳ１１６）
次いで、人物位置検索結果情報表示処理部１０１ｄは、人物位置検索結果情報の表示要求を入力すると、人物検索結果情報記憶エリア１０２ｂから人物検索結果情報を取り出し、操作パネル処理部１０４により人物検索結果情報を操作パネル１０３に表示する。
【００６５】
次に、検索された人物位置の人物と連絡を取る手順の詳細な処理の流れについて、図５のフローチャートを用いて更に詳しく説明する。
【００６６】
（ステップＳ２０１）
まず、要求装置１００ａの操作パネル１０３から宛先人物名と連絡内容人物宛連絡メモが入力され、人物宛連絡メモを配付する操作が行われると、操作パネル処理部１０４が人物宛連絡メモデータを人物宛連絡メモデータ記憶エリア１０２ｃに記憶し、人物宛連絡メモ配付要求を人物宛て連絡メモ送信処理部１０１ｅに出力する。
【００６７】
（ステップＳ２０２）
次いで、人物宛て連絡メモ送信処理部１０１ｅは、人物宛連絡メモ配付要求を入力すると、人物宛連絡メモデータ記憶エリア１０２ｃから人物宛連絡メモデータを取り出し、また人物検索結果情報記憶エリア１０２ｂから人物位置検索結果情報を取り出す。人物宛て連絡メモ送信処理部１０１ｅは、人物位置検索結果情報に設定されている画像形成装置２００ｂのアドレスに、人物宛連絡メモデータと人物位置検索結果情報に設定されている詳細な人物位置を送信する。
【００６８】
（ステップＳ２０３）
次いで、画像形成装置２００ｂの人物宛連絡メモ受信処理部２０１ｈは、人物宛連絡メモデータと詳細な人物位置とを受信すると、人物宛連絡メモ出力処理部２０１ｉに人物宛連絡メモデータと詳細な人物位置とを出力する。
【００６９】
（ステップＳ２０４）
次いで、人物宛連絡メモ出力処理部２０１ｉは、人物宛連絡メモデータと詳細な人物位置とを入力すると、人物宛連絡メモデータを印刷可能な印刷データに変換し、印刷部２１０により用紙に印刷する。
【００７０】
（ステップＳ２０５）
次いで、人物宛連絡メモ出力処理部２０１ｉは、管理者情報記憶エリア２０２ａから管理者のメールアドレスを取り出すと、管理者のメールアドレスに、人物宛連絡メモが印刷された用紙を、詳細な人物位置にいる人物宛連絡メモの宛先人物名の人物に配付する依頼のメールを送信する。
【００７１】
以上により、画像形成装置２００を用いて人物位置を検索することができるので、専用のサーバーを用いる必要がない。また、画像形成装置２００と応答端末３００とがネットワーク通信及び近距離無線通信により接続可能であり、画像形成装置２００は、応答端末３００から人物位置応答無線信号を受信して応答端末３００の位置を確認するので、応答端末３００にＧＰＳ（Global Positioning System）機能などの搭載する必要がない。従って、既設の装置を用いて容易に人物の位置を検索することができる。また、各々の画像形成装置２００は、自身が設置されているフロアを検索し、また複数の画像形成装置２００がネットワーク６００に接続されるので、より広い範囲の検索が可能となる。
【００７２】
なお、実施形態の人物位置を検索して人物と連絡を取る手順については、フロアＡの要求端末１００ａからフロアＢにいる人物の人物位置を検索する場合の例で説明したが、これに限定されない。例えば、フロアＢの要求端末１００ａからフロアＡにいる人物の人物位置を検索する場合も同様に行うことができる。また、フロアＡの要求端末１００ａからフロアＡにいる人物の人物位置を検索する場合、又はフロアＢの要求端末１００ａからフロアＢにいる人物の人物位置を検索する場合についても、行うことができる。この場合には、要求端末１００と同じフロアの応答端末３００から人物位置検索要求通知の応答端末ＩＤと同じ応答端末ＩＤが設定された人物位置応答無線信号を受信するので、画像形成装置２００は、他の画像形成装置２００に人物位置検索要求通知を配信することなく人物位置検索結果情報を生成して要求端末１００に送信できる。更に、フロアＡとフロアＢだけでなく、複数のフロアやエリアについても同様の手順で人物の人物位置を検索して人物と連絡を取ることが可能である。また、フロアやエリアが１つだけの場合についても、１つのフロア内だけを同様の手順で人物の人物位置を検索して人物と連絡を取ることが可能である。
【００７３】
また、実施形態においては、画像形成装置２００により人物位置が検索できる場合について説明したが、画像形成装置２００が応答端末２００から受信する人物位置応答無線信号に人物位置検索要求通知の応答端末ＩＤが設定されていない場合には、画像形成装置２００は人物位置が検索できない。従って、このような場合には、画像形成装置２００は、人物位置を検索できなかったことを通知するメッセージを要求端末１００に送信することも可能である。
【００７４】
また、応答端末３００に応答有無設定機能を設け、応答端末３００の応答有無設定機能を有りに設定した場合に、画像形成装置２００から人物位置確認信号を受信すると応答端末３００が人物位置応答信号を画像形成装置２００に送信する。また、応答端末３００の応答有無設定機能を無しに設定した場合に、画像形成装置２００から人物位置確認信号を受信しても応答端末３００が人物位置応答信号を画像形成装置２００に送信しないようにすることも可能である。これにより、どこにいるかを知らせたくない人物は、要求端末１００のユーザーに位置を知らせないようにすることができる。
【００７５】
また、要求端末１００の操作パネル１０３から複数の人物名を入力することで、複数の人物の人物位置を一括で検索することも可能である。
【００７６】
また、実施形態においては、要求端末１００から人物名を入力してその人物名の人物位置を検索するようにしたが、これに限定されない。例えば、予め登録した複数の人物名の人物位置を常時検索し、要求端末１００から入力される人物名の人物位置検索結果情報だけを表示し、またその人物名の人物だけに人物宛連絡メモが印刷された用紙を配付することも可能である。
【００７７】
また、予め決められた時間の間隔でユーザー位置を検索することで、移動している人物の位置を追跡する追跡モードを設けることも可能である。要求端末３００から追跡モードがＯＮに設定された場合には、移動している人物の人物位置の情報が表示し、要求端末３００から追跡モードがＯＦＦに設定された場合には、人物のその時点の人物位置の情報が表示することができる。
【００７８】
また、実施形態においては、要求端末１００と管理者端末５００をＰＣなどの操作端末として説明したが、携帯電話、スマートフォン又はタブレット端末などの携帯端末とすることも可能である。また、要求端末１００に近距離無線通信機能が搭載されている場合には、画像形成装置２００と近距離無線通信でデータの送受信が可能である。また、要求端末１００は、インターネット８００に接続される操作端末８１０又は携帯端末９１０とすることも可能である。また、応答端末３００は、ＩＣカード又はＲＦＩＤ（radio frequency identifier）とすることも可能である。
【００７９】
また、実施形態においては、要求端末１００から人物名を入力し、人物名の人物の人物位置を検索するようにしたが、これに限定されない。例えば、人物名だけでなく人物の社員番号、電話番号、ニックネーム又は役職などの人物が特定できる人物特定情報の人物位置を検索することも可能である。この場合には、人物情報記憶エリア１０２ａには、人物特定情報、人物特定情報により特定される人物が所持している応答端末３００の応答端末ＩＤ及びメールアドレスなどが記憶される。
【００８０】
このような本発明の人物位置検索連絡システム、及び画像形成装置は、人物位置を検索し、人物と容易に連絡を取ることができる。
【００８１】
以上、具体的な実施の形態により本発明を説明したが、上記実施の形態は本発明の例示であり、この実施の形態に限定されないことは言うまでもない。
【産業上の利用可能性】
【００８２】
本発明は、端末装置と通信が可能なシステム、及び装置一般に適用できる。
【符号の説明】
【００８３】
１０・・・・・人物位置検索連絡システム
１００ａ・・・・要求端末
１００ｂ・・・・要求端末
１０１・・・・・制御部
１０１ａ・・・・人物位置検索要求受付処理部
１０１ｂ・・・・人物位置検索要求通知送信処理部
１０１ｃ・・・・人物位置検索結果情報受信処理部
１０１ｄ・・・・人物位置検索結果情報表示処理部
１０１ｅ・・・・人物宛連絡メモ送信処理部
１０２・・・・・メモリー部
１０２ａ・・・・人物情報記憶エリア
１０２ｂ・・・・人物検索結果情報記憶エリア
１０２ｃ・・・・人物宛連絡メモデータ記憶エリア
１０３・・・・・操作パネル
１０４・・・・・操作パネル処理部
１０５・・・・・ネットワーク通信部
２００ａ・・・・画像形成装置
２００ｂ・・・・画像形成装置
２０１・・・・・制御部
２０１ａ・・・・人物位置検索要求通知１次受信処理部
２０１ｂ・・・・人物位置検索通知配信処理部
２０１ｃ・・・・人物位置検索応答通知受信処理部
２０１ｄ・・・・人物位置検索結果情報生成処理部
２０１ｅ・・・・人物位置検索結果情報送信処理部
２０１ｆ・・・・人物位置確認無線信号送信処理部
２０１ｇ・・・・人物位置応答無線信号受信処理部
２０１ｈ・・・・人物宛連絡メモ受信処理部
２０１ｉ・・・・人物宛連絡メモ出力処理部
２０１ｊ・・・・人物位置検索要求通知２次受信処理部
２０１ｋ・・・・人物位置検索応答通知送信処理部
２０２・・・・・メモリー部
２０２ａ・・・・管理者情報記憶エリア
２０３・・・・・データ記憶部
２０３ａ・・・・画像データ記憶エリア
２０４・・・・・ネットワーク通信部
２０５・・・・・近距離無線通信部
２０６・・・・・操作パネル
２０７・・・・・操作パネル処理部
２０８・・・・・原稿読取部
２０９・・・・・画像処理部
２１０・・・・・印刷部
３００・・・・・応答端末
３００ａ・・・・応答端末
３００ｂ・・・・応答端末
３０１・・・・・制御部
３０１ａ・・・・人物位置確認無線信号受信処理部
３０１ｂ・・・・人物位置応答無線信号送信処理部
３０２・・・・・メモリー部
３０２ａ・・・・応答端末情報記憶エリア
３０３・・・・・近距離無線通信部
３０４・・・・・ネットワーク通信部
３０５・・・・・操作パネル
３０６・・・・・操作パネル処理部
４００ａ・・・・アクセスポイント
４００ｂ・・・・アクセスポイント
５００ａ・・・・管理者端末
５００ｂ・・・・管理者端末
６００・・・・・ネットワーク
７００・・・・・ルーター
８００・・・・・インターネット
８１０・・・・・操作端末
９００・・・・・アクセスポイント
９１０・・・・・携帯端末
【図１】
2016224518.tif 000003
【図２】
2016224518.tif 000004
【図３】
2016224518.tif 000005
【図４】
2016224518.tif 000006
【図５】
2016224518.tif 000007